(57)【要約】【課題】本発明は、汗や水などの影響を受けにくく耐久性に優れる上、金属アレルギー疾患のある人でも安心して使用することのできる装身具の留め具を提供することにある。【解決手段】装身具本体の一端に固定される第１の連結部材と、前記装身具本体の他端側に固定されるとともに第１の連結部材と連結可能な第２の連結部材とを備え、第１の連結部材が、磁石とこの磁石の少なくとも一部を収容する収容部とを備えた本体部とを有し、第２の連結部材が、前記磁石に吸着可能な磁石もしくは磁性体とこの磁石もしくは磁性体の少なくとも一部を収容する収容部とを備えた本体部とを有していて、両本体部が、少なくともその外面部分が非金属材料で形成されているとともに、第１の連結部材の磁石と第２の連結部材の磁石もしくは磁性体とを吸着させたときに、磁石および磁性体が、外部に露出しない形状に形成されている。【選択図】図１
2008067757.tif 000002
【特許請求の範囲】
【請求項１】
線状または帯状をした可撓性を有する装身具本体の一端に固定される第１の連結部材と、前記装身具本体の他端側に固定されるとともに、第１の連結部材と連結可能な第２の連結部材とを備えた装身具の留め具であって、
第１の連結部材が、磁石と、この磁石の少なくとも一部を収容する収容部とを備えた本体部とを有し、第２の連結部材が、前記磁石に吸着可能な磁石もしくは磁性体と、この磁石もしくは磁性体の少なくとも一部を収容する収容部とを備えた本体部とを有していて、両本体部が、少なくともその外面部分が非金属材料で形成されているとともに、第１の連結部材の磁石と第２の連結部材の磁石もしくは磁性体とを吸着させたときに、磁石および磁性体が、外部に露出しない形状に形成されていることを特徴とする装身具の留め具。
【請求項２】
磁石は、本体部における身体当接部分の磁束密度が３５〜２００ｍＴの範囲となる磁力を備えていることを特徴とする請求項１記載の装身具の留め具。
【請求項３】
線状または帯状をした可撓性を有する装身具本体と、請求項１または２記載の留め具とを備え、装身具本体が、多数の装飾部材を直線状に連結することによって形成されていて、前記装飾部材の少なくとも外面部分が、非金属材料で形成されていることを特徴とする装身具。
【請求項４】
第１の連結部材の本体部および第２の連結部材の本体部が、各本体部に隣接する装飾部材とほぼ同一形状に形成されていることを特徴とする請求項３記載の装身具。
【発明の詳細な説明】
【技術分野】
【０００１】
本発明は、例えば、ネックレスやブレスレット等の装身具の留め具に関するものである。
【背景技術】
【０００２】
従来、この種の留め具としては、装身具本体の長さ方向一端部に連結されている環状部材に、前記装身具本体の長さ方向他端部に連結される取り付け部材、例えば、引き輪や開閉フックなどを取り付けて、装身具本体の長さ方向両端部を着脱可能に連結するものが一般的に用いられている。
しかし、上記留め具は、取り付け部材の構造が複雑であるため、製造する際に精度を出しにくい上、使用時に破損したり変形したりしやすいという不具合がある。また、指先で引き輪を引いたり、開閉フックを操作したりするのは大変煩雑な作業であり、操作性に乏しいという不具合もある。
そこで、着脱操作を容易にする留め具として、装身具本体の長さ方向両端部に、金属製の接続ケースをそれぞれ接続し、各接続ケース内に、それぞれ極性を異ならせて磁石を固定することにより、磁石同士の吸着力によって、装身具本体の両端部を着脱可能に連結するものが提案されている（例えば、特許文献１参照）。
【０００３】
このように、従来の留め具は、操作性を向上させるなどの構造上の改良はなされているが、留め具に使用される材料としては、生産性、耐久性、強度の面から、金属材料が用いられることが多い。
しかしながら、金属材料を用いた留め具は、汗や水などが付着することによって錆びてしまう恐れがある上、金属アレルギー疾患のある人が使用すると、留め具が接触した部位の皮膚がかぶれるなどのアレルギー症状を起こす恐れがある。
【特許文献１】特開２００６−２６００３号公報
【発明の開示】
【発明が解決しようとする課題】
【０００４】
本発明は、上記問題点に鑑みてなされたものであって、汗や水などの影響を受けにくく耐久性に優れる上、金属アレルギー疾患のある人でも安心して使用することのできる装身具の留め具を提供することにある。
【課題を解決するための手段】
【０００５】
上記課題を解決するために、請求項１記載の発明は、線状または帯状をした可撓性を有する装身具本体の一端に固定される第１の連結部材と、前記装身具本体の他端側に固定されるとともに、第１の連結部材と連結可能な第２の連結部材とを備えた装身具の留め具であって、第１の連結部材が、磁石と、この磁石の少なくとも一部を収容する収容部とを備えた本体部とを有し、第２の連結部材が、前記磁石に吸着可能な磁石もしくは磁性体と、この磁石もしくは磁性体の少なくとも一部を収容する収容部とを備えた本体部とを有していて、両本体部が、少なくともその外面部分が非金属材料で形成されているとともに、第１の連結部材の磁石と第２の連結部材の磁石もしくは磁性体とを吸着させたときに、磁石および磁性体が、外部に露出しない形状に形成されていることを特徴とする。
【０００６】
請求項２記載の発明は、請求項１記載の発明において、磁石が、本体部における身体当接部分の磁束密度が３５〜２００ｍＴの範囲となる磁力を備えていることを特徴とする。
【０００７】
請求項３記載の発明は、線状または帯状をした可撓性を有する装身具本体と、請求項１または２記載の留め具とを備え、装身具本体が、多数の装飾部材を直線状に連結することによって形成されていて、前記装飾部材の少なくとも外面部分が、非金属材料で形成されていることを特徴とする。
【０００８】
請求項４記載の発明は、請求項３記載の発明において、第１の連結部材の本体部および第２の連結部材の本体部が、各本体部に隣接する装飾部材とほぼ同一形状に形成されていることを特徴とする。
【発明の効果】
【０００９】
請求項１記載の発明は、線状または帯状をした可撓性を有する装身具本体の一端に固定される第１の連結部材と、前記装身具本体の他端側に固定されるとともに、第１の連結部材と連結可能な第２の連結部材とを備えた装身具の留め具であって、第１の連結部材が、磁石と、この磁石の少なくとも一部を収容する収容部とを備えた本体部とを有し、第２の連結部材が、前記磁石に吸着可能な磁石もしくは磁性体と、この磁石もしくは磁性体の少なくとも一部を収容する収容部とを備えた本体部とを有していて、両本体部が、少なくともその外面部分が非金属材料で形成されているとともに、第１の連結部材の磁石と第２の連結部材の磁石もしくは磁性体とを吸着させたときに、磁石および磁性体が、外部に露出しない形状に形成されているので、留め具に錆が発生しにくい上、金属アレルギー疾患のある人でも、留め具が接触した部分の皮膚がかぶれるなどの症状を起こすことがない。
【００１０】
請求項２記載の発明は、請求項１記載の発明において、磁石が、本体部における身体当接部分の磁束密度が３５〜２００ｍＴの範囲となる磁力を備えているので、家庭用永久磁石磁気治療器としての利用が可能で、装身具を身体に装着したときに、留め具が当接する部位の血行を促進させることができる。したがって、例えば、装身具がネックレスである場合には、留め具が当接する首の後ろ部分の血行を促進させることができ、首のだるさや肩こり等を緩和することができる。
【００１１】
請求項３記載の発明は、線状または帯状をした可撓性を有する装身具本体と、請求項１または２記載の留め具とを備え、装身具本体が、多数の装飾部材を直線状に連結することによって形成されていて、前記装飾部材の少なくとも外面部分が、非金属材料で形成されているので、請求項１または２記載の発明の効果に加えて、金属アレルギー疾患のある人でも、装身具が接触した部分の皮膚がかぶれるなどの症状を起こすことなく、好みの装身具を安心して身に着けることができる。
【００１２】
請求項４記載の発明は、請求項３記載の発明において、第１の連結部材の本体部および第２の連結部材の本体部が、各本体部に隣接する装飾部材とほぼ同一形状に形成されているので、請求項３記載の発明の効果に加えて、装身具本体に対して留め具が目立たず、装身具全体を外観の優れたものとすることができる。
【発明を実施するための最良の形態】
【００１３】
以下、本発明にかかる装身具の留め具の一実施形態について、図面に基づいて説明する。
本実施形態の装身具の留め具１ａは、図１に示すように、装身具本体２の両端部を連結するものである。装身具本体２は、図１に示すように、同じ形状の装飾部材としての多数の真珠玉２０と、これらの真珠玉２０に挿通され、真珠玉２０を直線状に連結するための紐２１とから構成されている。装身具３は、留め具１ａと装身具本体２とから構成されている。
【００１４】
留め具１ａは、図１、図２に示すように、装身具本体２の長さ方向一端側に設けられる第１の連結部材４と、装身具本体２の長さ方向他端側に設けられる第２の連結部材５とから構成されている。
第１の連結部材４は、外形が真珠玉２０とほぼ同一形状に形成されたアクリル樹脂製の本体部４１と、本体部４１に収容される円柱状の磁石４２とから構成されている。
本体部４１は、射出成形により成形されており、本体部４１の内部には、磁石４２を収容するための収容部４０１と、装身具本体２の端部を取り付けるための取り付け部４０２とが、本体部４１の径方向に並んで設けられている。
収容部４０１は、磁石４２の外径よりも大径の孔で、収容部４０１の軸方向一端側は、本体部４１の外部に開口している。
取り付け部４０２は、内径の異なる２つの孔で構成されており、収容部４０１の内径よりも小径の紐係止部４０３と、紐係止部４０３よりも小径の紐挿通部４０４とからなる。紐係止部４０３は、紐２１の端部を結んだ結び目２１０よりも大径となるように形成されており、収容部４０１に連接して設けられている。また、紐挿通部４０４は、装身具本体２の紐２１よりも大径で、かつ、紐２１の端部を結んだ結び目２１０よりも小径となるように形成されており、紐係止部４０３に連接して設けられている。紐挿通部４０４の軸方向一端側は、本体部４１の径方向において収容部４０１とは反対側に開口している。
磁石４２は、フェライト系永久磁石で、本体部４１における身体当接部分の磁束密度が約１５０ｍＴとなる磁力を備えている。また、磁石４２の軸方向長さＬ１は、本体部４１の収容部４０１の軸方向長さＬ２よりも短く形成されている。
【００１５】
第２の連結部材５は、第１の連結部材４と同様に、外形が真珠玉２０とほぼ同じ形状に形成されたアクリル樹脂製の本体部５１と、本体部５１に収容される円柱状の磁石５２とから構成されている。本体部５１は、第１の連結部材４の本体部４１と同様の構成であるので、同一の符号を付して、詳細な説明は省略する。磁石５２は、第１の連結部材４の磁石４２と同様に、フェライト系永久磁石で、本体部５１における身体当接部分の磁束密度が約１５０ｍＴとなる磁力を備えている。また、磁石５２の軸方向長さＬ３は、本体部５１の収容部５０１の軸方向長さＬ４よりも長く形成されている。
さらに、磁石４２、５２の各軸方向長さＬ１，Ｌ３の和は、収容部４０１、５０１の各軸方向長さＬ２，Ｌ４の和にほぼ等しくなっている。
【００１６】
次に、第１の連結部材４を装身具本体２に取り付ける手順について説明する。
すなわち、第１の連結部材４を装身具本体２に取り付けるには、まず、本体部４１の紐挿通部４０４の開口側から装身具本体２の一端側の紐２１の遊端部を挿通し、本体部４１内を貫通させて、収容部４０１側に引き抜いて、紐２１の遊端部を玉結びした後、再度、紐２１を紐挿通部４０４側に引き戻し、紐２１の結び目２１０を紐係止部４０３に係止させる。次に、収容部４０１の開口側から磁石４２を挿入し、接着剤等で磁石４２を収容部４０１の内部に固着させる。
【００１７】
第２の連結部材５も第１の連結部材４と同様の手順で装身具本体２に取り付ける。ここで、第２の連結部材５の磁石５２の極性と、第１の連結部材４の磁石４２の極性とを異ならせて配置する。
【００１８】
装身具３を着用する時は、留め具１ａの第１の連結部材４と第２の連結部材５とを分離した状態で、装身具本体２を首の周りに巻いた後、首の後方で、第２の連結部材５の磁石５２の先端部を第１の連結部材４の収容部４２内に挿入し、第１の連結部材４の磁石４２と第２の連結部材５の磁石５２とを吸着させて、第１の連結部材４と第２の連結部材５とを連結する。すると、磁石４２，５２は、ともに外部に露出することなく、本体部４１，５１の収容部４０１，５０１に収容される。
取り外し時には、第１の連結部材４の磁石４２と第２の連結部材５の磁石５２との吸着力に反して力を加えて、第１の連結部材４と第２の連結部材５とを分離する。
【００１９】
以上詳述したように、本実施形態の留め具１ａによれば、本体部４１，５１がアクリル樹脂製であり、磁石４２，５２の各軸方向長さＬ１，Ｌ３の和が、収容部４０１，５０１の各軸方向長さＬ２，Ｌ４の和にほぼ等しいので、第１の連結部材４と第２の連結部材５とを連結したときに、本体部４１，５１の内部に配置されている磁石４２，５２を本体部４１，５１の内部に収納することができる。したがって、留め具１ａに錆が発生する恐れがない上、金属アレルギー疾患のある人でも、留め具１ａが接触した部分の皮膚がかぶれるなどの症状を起こすことなく、安心して身に着けることができる。
【００２０】
また、磁石４２，５２は、それぞれ本体部４１，５１における身体当接部分の磁束密度が約１５０ｍＴとなる磁力を備えているので、家庭用永久磁石磁気治療器としての利用が可能で、装身具３の着用時に、留め具１ａが当接する部位、すなわち、首の後ろ部分の血行を促進させることができ、首のだるさや肩こり等を緩和することができる。
【００２１】
さらに、本体部４１，５１の外形が、装身具本体２の真珠玉２０とほぼ同一形状に形成されているので、装身具本体２に対して留め具１ａが目立たず、装身具３全体を外観の優れたものとすることができる。
【００２２】
また、本体部４１，５１は、射出成形によって簡単に成形することができるので、大量生産に適している。その上、第２の連結部材５の磁石５２の先端部が、第１の連結部材４の収容部４０１に嵌まり込むので、磁石の吸着方向に垂直な方向に外力が加わった場合に、留め具１ａが不意に外れるのを効果的に防ぐことができるという利点もある。
【００２３】
なお、本発明の留め具は、本体部４１，５１が非金属材料で形成されていればよく、アクリル樹脂に限られず、例えば、ポリエチレン樹脂やポリプロピレン樹脂であってもよいし、合成樹脂に限られず、本真珠や、ガラス、木材などでも構わない。
また、本発明の留め具は、本体部４１，５１全体が非金属材料で形成されていなくてもよく、少なくとも本体部４１，５１の外面部分が非金属材料で形成されていればよい。したがって、本体部４１，５１は、金属材料からなる心材の外面部分に非金属材料層を積層したものでも構わない。
【００２４】
また、本発明の留め具は、本体部４１，５１が、第１の連結部材４の磁石４２と第２の連結部材５の磁石５２とを吸着させたときに、磁石４２，５２が本体部４１，５１の外部に露出しない形状に形成されていればよい。すなわち、磁石４２、５２の各軸方向長さＬ１，Ｌ３の和が、収容部４０１、５０１の各軸方向長さＬ２，Ｌ４の和にほぼ等しければよい。
【００２５】
したがって、本発明の留め具は、図３に示す留め具１ｂのように、Ｌ１＝Ｌ２＝Ｌ３＝Ｌ４としてもよい。このようにすれば、第１の連結部材４と第２の連結部材５とが同一の構成となるので、部品点数が少なくできる上、装身具本体２への取り付けも容易となり、製造し易い。
【００２６】
また、本発明の留め具は、図４に示す留め具１ｃのように、Ｌ１＝Ｌ３、かつ、Ｌ２＞Ｌ１＞Ｌ４であってもよい。このようにすれば、第２の連結部材５の磁石５２の先端部が、第１の連結部材４の収容部４０１に嵌まり込むので、図２に示す第１の実施形態の留め具１ａと同様に、磁石４２，５２の吸着方向に垂直な方向に外力が加わった場合に、留め具１ｃが不意に外れるのを効果的に防ぐ効果が得られる。その上、磁石４２，５２が同一形状であるので、部品点数を削減できる上、留め具１ａ，１ｂに比べて磁石材料の節約にもなる。
【００２７】
さらに、本発明の留め具は、磁石の吸着力によって、第１の連結部材４と第２の連結部材５とが連結できればよい。したがって、第１の連結部材４に磁石４２を設け、第２の連結部材５に磁石４２に吸着可能な磁性体を設けても構わない。
【００２８】
また、本発明の装身具は、装身具本体が、多数の装飾部材を直線状に連結することによって形成されていればよい。したがって、装身具本体は、図１に示すように、同一形状の多数の真珠玉２０を直線状に連結したものに限られず、例えば、外径の異なる真珠玉を連結したものであっても構わない。さらに、装飾部材としては、球状の真珠玉に限られず、円柱状、円錐状、角柱状の装飾部材であっても構わない。
【００２９】
さらに、本発明の装身具は、第１の連結部材の本体部および第２の連結部材の本体部が、必ずしも各本体部に隣接する装飾部材とほぼ同一形状でなくてもよい。したがって、第１の連結部材の本体部と第２の連結部材の本体部とは、図１に示すように、球状の真珠玉２０とは異なる形状、例えば、円柱状、円錐状、角柱状に形成されていても構わない。
【００３０】
ところで、本発明にかかる装身具の留め具は、図５（ａ）に示すように、装身具本体２の長さ方向に所定間隔をあけて複数設けられていてもよい。
図５（ａ）に示すように、装身具６は、装飾部材としての真珠玉２０を紐２１に多数挿通させてなる装身具本体２と、装身具本体２の長さ方向に所定間隔をあけて設けられる４つの留め具１ａとから構成されている。各留め具の構成は、第１の実施形態の留め具１ａと同一であるので、同じ符号を付して詳細な説明は省略するものとする。
【００３１】
本実施形態の装身具６によれば、各留め具１ａを設けた位置で、装身具本体２を容易に連結したり分離したりすることができる。したがって、図５（ａ）に示すように、全ての留め具１ａを連結した状態で使用することができるだけでなく、例えば、図５（ｂ）に示すように、任意の２つの留め具１ａを分離した後、図５（ｃ）に示すように、一方の留め具１ａの第１の連結部材４を他の留め具１ａの第２の連結部材５に連結するとともに、一方の留め具１ａの第２の連結部材５を他の留め具１ａの第１の連結部材４に連結することにより、新たに留め具１ａを構成して、任意の長さの２つの装身具６１，６２を形成することができる。したがって、例えば、ネックレスとブレスレットとして使用できる。
【図面の簡単な説明】
【００３２】
【図１】本発明にかかる一実施形態の留め具１ａを示す説明図である。
【図２】留め具１ａを構成する第１の連結部材４と第２の連結部材５の縦断面図である。
【図３】留め具１ｂを構成する第１の連結部材４と第２の連結部材５の縦断面図である。
【図４】留め具１ｃを構成する第１の連結部材４と第２の連結部材５の縦断面図である。
【図５】留め具１ａを複数備えてなる装身具６の使用態様を示す説明図である。
【符号の説明】
【００３３】
１ａ  留め具
１ｂ  留め具
１ｃ  留め具
２    装身具本体
２０  真珠玉（装飾部材）
３    装身具
４    第１の連結部材
４１  本体部
４２  磁石
４０１  収容部
４０２  取り付け部
５    第２の連結部材
５１  本体部
５２  磁石
５０１  収容部
５０２  取り付け部
６    装身具
６１  装身具
６２  装身具
【図１】
2008067757.tif 000003
【図２】
2008067757.tif 000004
【図３】
2008067757.tif 000005
【図４】
2008067757.tif 000006
【図５】
2008067757.tif 000007